(57)【要約】【課題】携帯カラオケ機のような携帯電話機アタッチメントを、必要に応じて携帯電話機に確実に取り付けられ、しかも着脱操作が簡単な構造を得るにある。【解決手段】携帯電話機に着脱可能に取り付けて用いる携帯電話機アタッチメントにおいて、携帯電話機の側面コーナ部に係合できるクランプ突起をアタッチメント本体の基部に設け、携帯電話機の背面側で横断方向に延長する片持ち取付あごを前記基部に付設し、同取付あごの長さ方向に摺動できるスライダを同取付あごの内部に組み込んで携帯電話機の他側面に係合できるクランプを同スライダの一端に固定し、取付あごの内部に組み込む付勢ばねにより前記スライダを一方向に付勢した携帯電話機アタッチメントの取付構造。【選択図】　　　　図１
2004061791.tif 000002
【特許請求の範囲】
【請求項１】
携帯電話機に着脱可能に取り付けて用いる携帯電話機アタッチメントにおいて、携帯電話機の側面コーナ部に係合できるクランプ突起をアタッチメント本体の基部に設け、携帯電話機の背面側で横断方向に延長する片持ち取付あごを前記基部に付設し、同取付あごの長さ方向に摺動できるスライダを同取付あごの内部に組み込んで携帯電話機の他側面に係合できるクランプを同スライダの一端に固定し、取付あごの内部に組み込む付勢ばねにより前記スライダを一方向に付勢したことを特徴とする携帯電話機アタッチメントの取付構造。
【請求項２】
前記取付あごはアタッチメント本体の基部に設けるヒンジ軸を支点として折り畳み可能にアタッチメント本体に支持され、アタッチメント本体の表面には折り畳み時に前記クランプを収容できる凹所が形成されたことを特徴とする請求項１記載の携帯電話機アタッチメントの取付構造。
【請求項３】
前記アタッチメント本体は、マイク、携帯電話機に記憶された曲目伴奏を取り込む入力器、前記マイクと入力器からの音声を合成するミキサ、合成音を外部音響機器へ発振する変調発信器を内蔵されたカラオケ機器であることを特徴とする請求項１または請求項２記載の携帯電話機アタッチメントの取付構造。
【発明の詳細な説明】
【０００１】
【発明の属する技術分野】
本発明は携帯電話機アタッチメントに関し、特に、携帯電話機に対するアタッチメントの取付構造に関する。
【０００２】
【背景技術】
従来、携帯電話機の記憶容量の増大等に伴って、通信ネットを利用した音楽配信が行われているが、最近では、携帯電話機の表示器能力の進歩に伴い、曲目の伴奏と共にその歌詞をも配信する所謂”カラオケ”配信が行われている。
つまり、”カラオケ”配信を受けたユーザは、携帯電話機に記憶された曲目の伴奏と歌詞とを同時に読み出して、歌詞を見ながら曲目を歌うことができる。
【０００３】
しかし、このような”カラオケ”配信の利用では、ユーザの音声は拡声されることがないため、携帯電話機から呼び出した伴奏とユーザ音声を合成した後、ＦＭ変調波として出力できる携帯カラオケ機が開発されているけれども、この携帯カラオケ機では、携帯電話機に記憶された曲目の内容を、いちいち、携帯カラオケ機に移して使用する必要があった。
【０００４】
このため、必要に応じて携帯電話機に取り付けて使用できる携帯カラオケ機が計画されている。即ち、携帯電話機装着型の携帯カラオケ機においては、ユーザ音声を取り込むマイク、伴奏音とマイクから取り込まれた音声を合成するミキサを内蔵するから、ユーザは携帯電話機の表示器に表示された歌詞を見ながら、携帯電話機と携帯カラオケ機を同時に持って歌い、室内ＡＶ機器からの拡声音を聴取させることができる。
【０００５】
【発明が解決しようとする課題】
しかしながら、従来では、携帯カラオケ機のような携帯電話機アタッチメントを、必要に応じて携帯電話機に確実に取り付けられ、しかも着脱操作が簡単な構造は得られていない。
【０００６】
本発明の目的は、以上に述べたような従来の実状に鑑み、携帯カラオケ機のような携帯電話機アタッチメントを、必要に応じて携帯電話機に確実に取り付けられ、しかも着脱操作が簡単な構造を得るにある。
【０００７】
【課題を解決するための手段】
この目的を達成するため、本発明は、携帯電話機に着脱可能に取り付けて用いる携帯電話機アタッチメントにおいて、携帯電話機の側面コーナ部に係合できるクランプ突起をアタッチメント本体の基部に設け、携帯電話機の背面側で横断方向に延長する片持ち取付あごを前記基部に付設し、同取付あごの長さ方向に摺動できるスライダを同取付あごの内部に組み込んで携帯電話機の他側面に係合できるクランプを同スライダの一端に固定し、取付あごの内部に組み込む付勢ばねにより前記スライダを一方向に付勢した携帯電話機アタッチメントの取付構造を提案するものである。
【０００８】
後述する本発明の好ましい実施例の説明においては、
１）前記取付あごはアタッチメント本体の基部に設けるヒンジ軸を支点として折り畳み可能にアタッチメント本体に支持され、アタッチメント本体の表面には折り畳み時に前記クランプを収容できる凹所が形成された構造、
２）前記アタッチメント本体は、マイク、携帯電話機に記憶された曲目伴奏を取り込む入力器、前記マイクと入力器からの音声を合成するミキサ、合成音を外部音響機器へ発振する変調発信器を内蔵されたカラオケ機器であるもの
が説明される。
【０００９】
【発明の実施の形態】
以下、図面について本発明の実施例の詳細を説明する。
図示実施例は必要に応じて携帯電話機Ｘに取り付けて用いる携帯カラオケ機に本発明を施した例である。
【００１０】
先端部にマイク１ａをもつアタッチメント本体１の内部には、図示を省略するけれども、携帯電話機Ｘに記憶された曲目伴奏を取り込む入力器、前記マイク１ａと入力器からの音声を合成するミキサ、合成音を外部音響機器へ発振する変調発信器を内蔵される。
そして、アタッチメント本体１の基部表面には２点鎖線で示した携帯電話機Ｘの側面コーナ部を係止できるクランプ突起２が突出成形され、このクランプ突起２は後述するクランプ３と共働して携帯電話機Ｘからのアタッチメント本体１の外れを防止する。
【００１１】
また、前記アタッチメント本体１の基部にはヒンジ軸４が設けられ、このヒンジ軸４にはヒンジ軸４を中心として折り畳むことのできる取付あご５が支持される。
この取付あご５はアタッチメント本体１が取り付けられる携帯電話機Ｘの背面に沿って横断方向に延長するもので、その内部には取付あご５の長さ方向に摺動できるスライダ６が組み込まれる。
【００１２】
即ち、前記スライダ６の内端部には幅のある抜止め部材７が固定され、スライダ６の外端部には、前記クランプ突起２とは反対側の携帯電話機Ｘの側面に係合できるクランプ３が固定される。図３に切り欠いて示すように、このクランプ３に対応した前記アタッチメント本体１の表面には凹所１ｂが形成され、取付あご５の折り畳み時には取付あご５から突出した同クランプ３は同凹所１ｂ中に受け入れられる。
図２に示すように、前記スライダ６はスライダ６の幅Ｌと同じ開口幅寸法のスライド溝８中に摺動可能に収容され、同スライド溝８は前記取付あご５の内部の幅広溝９に連絡され、この幅広溝９中には前記抜止め部材７が摺動可能に位置される。したがって、スライダ６が一定距離だけ取付あご５から引き出されると、抜止め部材７が幅広溝９の端部に到達するから、取付あご５からのスライダ６の抜け出しが防止される。
【００１３】
図１に示すように、前記抜止め部材７の下面には引掛けピン１０が固定され、この引掛けピン１０には他端部を取付あご５のアンカーねじ１１にそれぞれ係止した一対の引張ばね１２の一端部が引掛けられる。したがって、これらの引張ばね１２の付勢により、前記スライダ６及びクランプ３には引っ込め方向に向かって移動する習性が与えられる。
【００１４】
図示実施例による携帯カラオケ機は、以上のような構造であるから、ヒンジ軸４を支点として図３のように取付あご５を折り畳んで格納または帯行できる。つまり、この折り畳み状態では、折り畳まれた取付あご５がアタッチメント本体１の表面に重なり合った状態となるから、嵩張ることなく、帯行または格納できる。
【００１５】
本発明の携帯カラオケ機を使用するには、図１に示すように、アタッチメント本体１に対して取付あご５を略直角に開いた後、携帯電話機Ｘに取り付ければよい。つまり、携帯電話機Ｘに携帯カラオケ機を取り付けるには、携帯電話機Ｘを開いた取付あご５上に位置し、携帯電話機Ｘの側面をクランプ３に当てがって引張ばね１２の付勢力に抗して、クランプ３を２点鎖線示の位置に移動させると、携帯電話機Ｘの背面が取付あご５の表面に密着した状態となるから、クランプ３に加えていた力を解くと、携帯電話機Ｘの側面コーナ部にクランプ突起２が当たり、同クランプ突起２とクランプ３により携帯カラオケ機が携帯電話機Ｘに確実に保持される。
このため、アタッチメント本体１に用意するイヤホンジャックコード（図示せず）を携帯電話機Ｘのイヤフォンジャックに挿入すると、イヤホンジャックコードを通じて、携帯電話機Ｘに記憶された曲目の伴奏をアタッチメント本体１の内部に取り込める状態となる。
【００１６】
したがって、携帯電話機Ｘに対する携帯カラオケ機の取付状態では、携帯電話機Ｘを手でもって同携帯電話機Ｘの液晶表示器Ｙに正対すると、アタッチメント本体１の先端部のマイク１ａが歌い手の口元に位置すると同時に、歌い手に携帯電話機Ｘの液晶表示器Ｙが正対する状態となる。
よって、歌い手は、液晶表示器Ｙに表示される歌詞を見ながら、スピーカから流れる伴奏に合わせ、歌うことができるが、マイク１ａから取り込まれた歌声はアタッチメント本体１中で伴奏と合成され，ＦＭ変調波として発振され、同ＦＭ変調波を受信する室内オーディオ機器から拡声音として聴取できる。
【００１７】
使用後に、携帯電話機Ｘから携帯カラオケ機を外すには、携帯電話機Ｘのイヤフォンジャックからイヤホンジャックコードを引き抜き、引張ばね１２の付勢力に抗してクランプ３を押し戻せば、クランプ突起２から携帯電話機Ｘのコーナ部が外れるため、取付あご５に対して携帯電話機Ｘを僅かに傾けることで携帯電話機Ｘを外せる。
【００１８】
なお、前述した実施例の説明では、本発明を携帯カラオケ機に適用した例を説明したけれども、本発明は他の携帯電話機アタッチメントにも適用できるのは改めて指摘するまでもない。
【００１９】
【発明の効果】
以上の説明から明らかなように、本発明の携帯電話機アタッチメントの取付構造は、寸法やタイプの異なった携帯電話機にアタッチメント本体を取り付けることができ、着脱操作も簡単で、迅速に着脱できる。
【図面の簡単な説明】
【図１】取付あごを倒した状態の本発明による携帯カラオケ機の側面図である。
【図２】一部を切り欠いて示す同携帯カラオケ機の平面図である。
【図３】折り畳み状態の同携帯カラオケ機の図１と同様の図である。
【符号の説明】
Ｘ　　　　携帯電話機
Ｙ　　　　液晶表示器
１　　　　アタッチメント本体
１ａ　　　マイク
１ｂ　　　凹所
２　　　　クランプ突起
３　　　　クランプ
４　　　　ヒンジ軸
５　　　　取付あご
６　　　　スライダ
７　　　　抜止め部材
８　　　　スライド溝
９　　　　幅広溝
１０　　　　引掛けピン
１１　　　　アンカーねじ
１２　　　　引張ばね
【図１】
2004061791.tif 000003
【図２】
2004061791.tif 000004
【図３】
2004061791.tif 000005